(57)【要約】【課題】ワークステーションへ画像データをダウンロードする際に、画像データの取り違いを防止して、容易に検査を識別すること。【解決手段】検査を開始する際に、検査ＩＤ検知部Ｃ２で記憶部１３に登録されている検査ＩＤを検知し、この検査ＩＤが登録されていない場合には、受信装置２（制御部Ｃ）側の情報生成部Ｃ３で検査ＩＤを生成し、画像処理された画像データと関連付けて記憶部１３に記憶し、検査終了後に、表示装置（ワークステーション）４側の制御部ＤＣにこの関連付けられた画像データをダウンロードすることで、表示部４１による画像データの表示および診断を可能にする。【選択図】        図３
2006061470.tif 000002
【特許請求の範囲】
【請求項１】
被検者の体内に導入された送信装置から送信される無線信号を受信する受信装置において、
前記被検者に対する検査情報を取り込む検査情報取込手段と、
前記検査情報取込手段で取り込んだ検査情報を登録する登録手段と、
前記登録手段に登録されている検査情報を検知する検知手段と、
前記検知手段の検知結果に基づいて、前記被検者の検査のための識別情報を生成する識別情報生成手段と、
を備え、前記登録手段は、前記識別情報生成手段で生成される識別情報を登録することを特徴とする受信装置。
【請求項２】
前記識別情報生成手段で生成される識別情報は、前記検査情報以外の情報からなることを特徴とする請求項１に記載の受信装置。
【請求項３】
前記識別情報生成手段で生成される識別情報は、少なくとも時刻情報を含むことを特徴とする請求項１または２に記載の受信装置。
【請求項４】
前記受信装置は、
前記登録手段に登録された情報を表示する表示手段を、
さらに備えることを特徴とする請求項１〜３のいずれか一つに記載の受信装置。
【請求項５】
被検者の体内に導入された送信装置から送信される無線信号を受信する受信装置と、前記受信装置が受信した無線信号に基づいた画像を表示する表示装置とからなる医療装置において、
前記受信装置は、
前記被検者に対する検査情報を取り込む検査情報取込手段と、
前記検査情報取込手段で取り込んだ検査情報を登録する登録手段と、
前記登録手段に登録されている検査情報を検知する検知手段と、
前記検知手段の検知結果に基づいて、前記被検者の検査のための識別情報を生成する識別情報生成手段と、
を備え、前記登録手段は、前記識別情報生成手段で生成される識別情報を登録し、前記表示装置は、
前記被検者に対する検査情報を生成する検査情報生成手段と、
前記画像および前記識別情報生成手段で生成された識別情報を取り込む情報取込手段と、
前記識別情報取込手段で取り込んだ識別情報に基づいて、前記被検者の検査を識別する識別手段と、
を備えることを特徴とする医療装置。
【請求項６】
前記識別情報生成手段で生成される識別情報は、前記検査情報以外の情報からなることを特徴とする請求項５に記載の医療装置。
【請求項７】
前記識別情報生成手段で生成される識別情報は、少なくとも時刻情報を含むことを特徴とする請求項５または６に記載の医療装置。
【請求項８】
前記受信装置は、
前記登録手段で登録した情報を表示する表示手段を、
さらに備えることを特徴とする請求項５〜７のいずれか一つに記載の医療装置。
【発明の詳細な説明】
【技術分野】
【０００１】
本発明は、被検体内情報を受信する受信装置およびこの被検体内情報による画像を表示する表示装置とからなる医療装置に関し、特に検査開始時に検査を識別するための識別情報を生成する受信装置および医療装置に関するものである。
【背景技術】
【０００２】
近年、内視鏡の分野では、撮像機能と無線通信機能とが装備されたカプセル型内視鏡が登場している。このカプセル型内視鏡は、観察（検査）のために被検体である被検者の口から飲み込まれた後、被検者の生体から自然排出されるまでの観察期間、たとえば胃、小腸などの臓器の内部（体腔内）をその蠕動運動に伴って移動し、撮像機能を用いて順次撮像する構成を有する。
【０００３】
また、これら臓器内を移動するこの観察期間、カプセル型内視鏡によって体腔内で撮像された画像データは、順次Ｂｌｕｅｔｏｏｔｈなどの無線通信機能により、被検体の外部に送信され、外部の受信装置内に設けられたメモリに蓄積される。被検者がこの無線通信機能とメモリ機能を備えた受信装置を携帯することにより、被検者は、カプセル型内視鏡を飲み込んだ後、排出されるまでの観察期間であっても、不自由を被ることなく自由に行動が可能になる。観察後は、医者もしくは看護士によって、受信装置のメモリに蓄積された画像データに基づいて、体腔内の画像をディスプレイなどの表示手段を有するワークステーションなどに表示させて診断を行うことができる。
【０００４】
一般に、受信装置は、カプセル型内視鏡から送信される映像信号を受信するための複数のアンテナを被検体外部に分散配置し、映像信号の受信誤りが少ない１つのアンテナを選択切り替えして受信するようにしている。なお、特許文献１には、被検体外部に配置された複数のアンテナの受信切り替えを行い、各アンテナが受信する電界強度に基づいて、映像信号の発信源である被検体内のカプセル型内視鏡の位置を探知する受信機が記載されている。
【０００５】
【特許文献１】特開２００３−１９１１１号公報
【発明の開示】
【発明が解決しようとする課題】
【０００６】
しかしながら、このような受信機では、ワークステーションからの被検者に対する検査情報（以下、「検査ＩＤ」という）の登録をしないで、カプセル型内視鏡を用いた検査を開始すると、ワークステーションへ検査で得られた画像データをダウンロードした際に、画像データを取り違える恐れがあった。
【０００７】
本発明は、上記問題に鑑みてなされたものであって、たとえばワークステーションへ画像データをダウンロードする際に、画像データの取り違いを防止して、容易に検査を識別することができる受信装置および医療装置を提供することを目的とする。
【課題を解決するための手段】
【０００８】
上述した課題を解決し、目的を達成するために、本発明にかかる受信装置は、被検者の体内に導入された送信装置から送信される無線信号を受信する受信装置において、前記被検者に対する検査情報を取り込む検査情報取込手段と、前記検査情報取込手段で取り込んだ検査情報を登録する登録手段と、前記登録手段に登録されている検査情報を検知する検知手段と、前記検知手段の検知結果に基づいて、前記被検者の検査のための識別情報を生成する識別情報生成手段と、を備え、前記登録手段は、前記識別情報生成手段で生成される識別情報を登録することを特徴とする。
【０００９】
また、請求項２の発明にかかる受信装置は、上記発明において、前記情報生成手段で生成される情報は、前記検査情報以外の情報からなることを特徴とする。
【００１０】
また、請求項３の発明にかかる受信装置は、上記発明において、前記識別情報生成手段で生成される識別情報は、前記検査情報以外の情報からなることを特徴とする。
【００１１】
また、請求項４の発明にかかる受信装置は、上記発明において、前記登録手段に登録された情報を表示する表示手段を、さらに備えることを特徴とする。
【００１２】
また、請求項５の発明にかかる医療装置は、被検者の体内に導入された送信装置から送信される無線信号を受信する受信装置と、前記受信装置が受信した無線信号に基づいた画像を表示する表示装置とからなる医療装置において、前記受信装置は、前記被検者に対する検査情報を取り込む検査情報取込手段と、前記検査情報取込手段で取り込んだ検査情報を登録する登録手段と、前記登録手段に登録されている検査情報を検知する検知手段と、前記検知手段の検知結果に基づいて、前記被検者の検査のための識別情報を生成する識別情報生成手段と、を備え、前記登録手段は、前記識別情報生成手段で生成される識別情報を登録し、前記表示装置は、前記被検者に対する検査情報を生成する検査情報生成手段と、前記画像および前記識別情報生成手段で生成された識別情報を取り込む情報取込手段と、前記識別情報取込手段で取り込んだ識別情報に基づいて、前記被検者の検査を識別する識別手段と、を備えることを特徴とする。
【００１３】
また、請求項６の発明にかかる医療装置は、上記発明において、前記識別情報生成手段で生成される識別情報は、前記検査情報以外の情報からなることを特徴とする。
【００１４】
また、請求項７の発明にかかる医療装置は、上記発明において、前記識別情報生成手段で生成される識別情報は、少なくとも時刻情報を含むことを特徴とする。
【００１５】
また、請求項８の発明にかかる医療装置は、上記発明において、前記登録手段で登録した情報を表示する表示手段を、さらに備えることを特徴とする。
【発明の効果】
【００１６】
本発明にかかる受信装置は、登録手段に登録されている検査情報を検知手段で検知しており、この検査情報が検知できない場合には、識別情報生成手段によって被検者の検査のための情報を生成し、かつ生成した情報を登録手段に登録することで、ワークステーションへ画像データをダウンロードする際に、画像データとともに、この検査のための識別情報を送り、画像データの取り違いを防止して、容易に検査を識別することができるという効果を奏する。
【００１７】
本発明にかかる医療装置は、受信装置からの画像と被検者の検査のための情報とを情報取込手段で取り込み、この取り込んだ情報に基づいて、識別手段が前記被検者の検査を識別することで、ワークステーションへ画像データをダウンロードする際に、画像データとともに、この検査のための識別情報を送り、画像データの取り違いを防止して、容易に検査を識別することができるという効果を奏する。
【発明を実施するための最良の形態】
【００１８】
以下に、本発明にかかる受信装置および医療装置の実施の形態を図１〜図４の図面に基づいて詳細に説明する。なお、本発明は、これらの実施の形態に限定されるものではなく、本発明の要旨を逸脱しない範囲で種々の変更実施の形態が可能である。
【００１９】
（実施の形態１）
図１は、本発明にかかる医療装置を備えた無線型被検体内情報取得システムの全体構成を示す模式図である。図１において、無線型被検体内情報取得システムは、無線受信機能を有する受信装置２と、被検体１内に導入され、体腔内画像を撮像して受信装置２に対して映像信号などのデータ送信を行うカプセル型内視鏡（被検体内導入装置）３とを備える。また、無線型被検体内情報取得システムは、受信装置２が受信した映像信号に基づいて体腔内画像を表示する表示装置４と、受信装置２と表示装置４との間でデータの受け渡しを行うための通信ケーブル５とを備える。受信装置２は、被検体１によって着用される受信ジャケット２ａと、受信される無線信号の処理などを行う外部装置２ｂとを備える。なお、受信装置２、表示装置４および通信ケーブル５は、医療装置を構成している。
【００２０】
表示装置４は、カプセル型内視鏡３によって撮像された体腔内画像などを表示するためのものであり、通信ケーブル５を介して受信装置２から得られるデータに基づいて画像表示を行うワークステーションなどのような構成を有する。具体的には、表示装置４は、ＣＲＴディスプレイ、液晶ディスプレイなどによって直接画像を表示する構成としても良いし、プリンタなどのように、他の媒体に画像を出力する構成としても良い。
【００２１】
通信ケーブル５は、通常、外部装置２ｂおよび表示装置４に対して着脱可能であって、両者に対して挿着された時に外部装置２ｂはデータ情報の出力または記録が可能な構造を有する。この実施の形態では、通信ケーブル５は、受信装置２を初期化、たとえば以前の検査で記憶部１３に記憶された画像データなどの古いデータの削除や、患者識別情報および検査日などの検査ＩＤの登録を行うときに、外部装置２ｂと表示装置４間に接続され、表示装置４からのデータを外部装置２ｂに送信する。次に、初期化が終了すると、外部装置２ｂと表示装置４間から取り外され、両者の接続を断状態にする。カプセル型内視鏡３が被検体１の体腔内を移動している間は、両者の接続は断状態を維持する。また、外部装置２ｂは、カプセル型内視鏡が無線送信したデータを受信し、記録する。そして、カプセル型内視鏡３が被検体１から排出された後、つまり、被検体１の内部の撮像が終了した後には、受信装置２を被検体１から取り外した後、通信ケーブル５を外部装置２ｂと表示装置４間に接続して、外部装置２ｂで記録したカプセル型内視鏡３から送信されたデータを、この表示装置４によって、読み出す構成を有する。なお、本発明にかかる外部装置２ｂと表示装置４との通信は、上記通信ケーブル５に限らず、無線接続によって行うことも可能であり、またはデータの同期が可能なクレードルを用いて外部装置２ｂと表示装置４を接続させて通信することも可能である。この場合には表示装置とクレードルを通信ケーブルで接続し、このクレードル上に外部装置２ｂを載置させて、外部装置２ｂと表示装置４間でのデータ転送を行うように構成する。
【００２２】
次に、図２のブロック図を用いて受信装置の構成について説明する。受信装置２は、カプセル型内視鏡３から無線送信された体腔内の画像データを受信する機能を有する。図２に示すように、受信装置２は、被検体１によって着用可能な形状を有し、受信用アンテナＡ１〜Ａｎを備えた受信ジャケット２ａと、受信ジャケット２ａを介して受信された無線信号の処理などを行う外部装置２ｂとを備える。なお、各受信用アンテナＡ１〜Ａｎは、直接被検体（人体）１の外表面に貼付して、受信ジャケット２ａに備え付けられなくてもよく、また受信ジャケット２ａに着脱可能なものでもよい。
【００２３】
外部装置２ｂは、カプセル型内視鏡３から送信された無線信号の処理を行う機能を有する。すなわち、外部装置２ｂは、図３に示すように、各受信用アンテナＡ１〜Ａｎの接続切り替えを行う切替スイッチＳＷと、この切替スイッチＳＷの後段に接続され、切替スイッチＳＷによって切り替え接続された受信用アンテナＡ１〜Ａｎからの無線信号を増幅し、復調する受信回路１１とを有し、さらに受信回路１１の後段には、信号処理回路１２と、サンプルホールド回路１５とが接続される。サンプルホールド回路１５の後段には、さらにＡ／Ｄ変換部１６が接続される。
【００２４】
制御部Ｃは、制御手段としての選択制御部Ｃ１を有し、信号処理回路１２、Ａ／Ｄ変換部１６、画像データを記憶するとともに登録手段を兼ねるハードディスクなどからなる記憶部１３、表示手段としての表示部１４、検査情報取込手段としてのインターフェース部１８、ＲＴＣ（リアルタイムクロック）２０および切替制御部ＳＣを接続する。切替制御部ＳＣは、強度受信アンテナ番号Ｎ１および映像受信アンテナ番号Ｎ２を有し、これらの番号情報をもとに、切替スイッチＳＷの切替指示を行うとともに、サンプルホールド回路１５、Ａ／Ｄ変換部１６および選択制御部Ｃ１の処理タイミングを指示する。また、検査情報取込手段としてのインターフェース部１８は、図示しない接続部を介して通信ケーブル５と接続されている。
【００２５】
制御部Ｃは、このインターフェース部１８を介して通信ケーブル５から入力する検査情報（検査ＩＤ）などの被検者を識別する識別情報を検知して、記憶部１３に登録する。ＲＴＣ２０は、たとえば計時専用のチップ回路からなり、制御部Ｃは、このＲＴＣ２０から時刻情報（日付情報）を取得し、この取得した日付情報に基づいて、被検者の検査のための情報を生成し、この情報を前記識別情報として記憶部１３に登録している。また、電力供給部１７は、たとえば市販の乾電池からなり、上述した各内部機器への電力供給を行う。
【００２６】
外部装置２ｂの切替スイッチＳＷは、切替制御部ＳＣからの切替指示に基づき、受信用アンテナＡ１〜Ａｎからの無線信号を受信回路１１に出力する。ここで、切替スイッチＳＷは、受信用アンテナＡ１〜Ａｎの配置位置にそれぞれ対応して各受信用アンテナＡ１〜Ａｎを接続するアンテナ切替手段としての接続部ＣＯＮを有する。
【００２７】
さて、図２において、受信回路１１は、上述したように、無線信号を増幅し、復調した映像信号Ｓ１を信号処理回路１２に出力するとともに、増幅した無線信号の受信電界強度である受信強度信号Ｓ２をサンプルホールド回路１５に出力する。信号処理回路１２によって処理された画像データは、制御部Ｃによって記憶部１３に記憶されるとともに、表示部１４によって表示出力される。サンプルホールド回路１５によってサンプルホールドされた信号は、Ａ／Ｄ変換部１６によってデジタル信号に変換され、制御部Ｃに取り込まれ、最も大きい受信電界強度を受信した受信用アンテナを映像信号期間の受信用アンテナとして選択するとともに、この選択された受信用アンテナ以外の受信用アンテナを順次、強度受信期間の受信用アンテナとして選択し、それぞれの受信用アンテナ番号を、映像受信アンテナ番号Ｎ２、強度受信アンテナ番号Ｎ１とする信号Ｓ４として切替制御部ＳＣに出力する。また、制御部Ｃは、強度受信期間の受信電界強度および映像受信期間の受信電界強度を、そのとき選択された受信用アンテナと対応付けて画像データとともに記憶部１３に記憶する。この記憶された各受信用アンテナの受信電界強度は、画像データが受信されたときの体腔内のカプセル型内視鏡３の位置を算出するための情報となる。
【００２８】
切替制御部ＳＣは、選択制御部Ｃ１に指示された強度受信アンテナ番号Ｎ１と映像受信アンテナ番号Ｎ２とを保持し、強度受信期間には強度受信アンテナ番号Ｎ１に対応する受信用アンテナＡ１〜Ａｎを選択接続するように切替スイッチＳＷに指示し、映像受信期間には映像受信アンテナ番号Ｎ２に対応する受信用アンテナＡ１〜Ａｎを選択接続するように、切替スイッチＳＷに指示する信号Ｓ５を切替スイッチＳＷに出力するとともに、サンプルホールド回路１５によるサンプルホールドタイミングを指示する信号Ｓ３ａ、Ａ／Ｄ変換部１６によるＡ／Ｄ変換タイミングを指示する信号Ｓ３ｂ、選択制御部Ｃ１による選択制御タイミングを指示する信号Ｓ３ｃを出力する。
【００２９】
図３は、図１に示した外部装置と表示装置の要部を示すブロック図である。外部装置２ｂの制御部Ｃは、上述した選択制御部Ｃ１の他に、記憶部１３に登録されている検査ＩＤを検知する検知手段としての検査ＩＤ検知部Ｃ２と、検査ＩＤ検知部Ｃ２で検査ＩＤが検知されない場合に、ＲＴＣ２０の時刻情報に基づいて検査のための識別情報を生成する識別情報生成手段としての情報生成部Ｃ３と、検知された検査ＩＤまたは情報生成部Ｃ３で生成された情報を画像処理された画像データに付加する情報付加部Ｃ４とを備え、インターフェース部１８および通信ケーブル５を介して表示装置４の情報取込手段としてのインターフェース部４２と接続されている。
【００３０】
情報生成部Ｃ３は、検査を開始する際に、検査ＩＤ検知部Ｃ２で検査ＩＤが検知されない場合に、検査のための識別情報を生成している。この識別情報は、たとえば表示装置で生成される検査ＩＤ以外の検査ＩＤを生成しており、この検査ＩＤとしては、検査当日の日付（年月日）と、装置ＩＤ番号と、検査通し番号とから構成されている。情報生成部Ｃ３は、ＲＴＣ２０を検索して日付情報、たとえば検査当日の年月日を検出して、この年月日、受信装置２で発行した情報の場合には、たとえば「２００４０７０７」と、装置のＩＤ番号、たとえば「０００」と、検査通し番号、たとえば「００」とを生成する。すなわち、この実施の形態では、たとえば「２００４０７０７−０００−００」という形式の検査ＩＤが、情報生成部Ｃ３によって生成される。この生成された検査ＩＤは、記憶部１３に登録される。また、制御部Ｃは、記憶部１３に登録された検査ＩＤを表示手段としての表示部１４に表示させる機能も有している。
【００３１】
表示装置４の制御部ＤＣは、たとえば図示しない入力部（キーボードやマウス）などから入力する情報から検査ＩＤの情報を検知する検査ＩＤ検知部ＤＣ１と、検知された検査ＩＤの各情報から所定形式の検査ＩＤを生成し、インターフェース部４２を介して出力する検査情報生成手段としての検査ＩＤ生成部ＤＣ２と、外部装置２ｂから入力する検査ＩＤと検査ＩＤ生成部ＤＣ２の検査ＩＤとの比較および外部装置２ｂから入力する識別情報を判断する識別手段としての判断部ＤＣ３と、取得した画像データの加工、たとえばサムネイル画像（縮小画像）などを作成する作成処理部ＤＣ４を備える。
【００３２】
検査ＩＤ生成部ＤＣ２は、検査を開始する際に、検査ＩＤ検知部Ｃ２で検知された検査ＩＤの情報に基づいて、所定形式の検査ＩＤを生成している。検査ＩＤ生成部ＤＣ２は、表示装置４で発行した検査ＩＤの場合には、たとえば表示装置４の登録時の年月日と、表示装置４の装置ＩＤ番号と、「１」〜「９９」の検査通し番号とを生成する。判断部ＤＣ３は、外部装置２ｂの制御部Ｃからインターフェース部１８，４２を介して入力する検査ＩＤと検査ＩＤ生成部ＤＣ２で生成された検査ＩＤとを比較しており、装置のＩＤ番号と検査通し番号が「０００−００」の場合には、外部装置２ｂで生成された検査ＩＤと判断して、画像データを取り込み、表示部４１に表示させる。また、それ以外の検査ＩＤの場合には、検査ＩＤ生成部ＤＣ２で生成された検査ＩＤと比較し、一致する場合には、画像データを取り込み、表示部４１に表示させる。
【００３３】
次に、図４のフローチャートに基づいて、図３に示した外部装置２ｂおよび表示装置４の制御部Ｃ，ＤＣにおける検査の一連の動作を説明する。まず、電源がオンになると（ステップ１０１）、制御部Ｃは、ワークステーションである表示装置４とインターフェース部１８を介して接続されていないかどうか判断する（ステップ１０２）。
【００３４】
ここで、ワークステーション４と接続されている場合には、ワークステーション４の制御部ＤＣから入力する検査ＩＤを取り込んで、記憶部１３に登録して（ステップ１０３）初期設定のための通信を開始する。次に、電源をオフにして検査の開始を待つ（ステップ１０４）。また、ワークステーション４と接続されていない場合には、検査ＩＤが記憶部１３に登録済みかどうか検査ＩＤ検知部Ｃ２の検知結果に基づいて判断する（ステップ１０５）。
【００３５】
ここで、検査ＩＤが記憶部１３に登録済みの場合には、検査を開始して（ステップ１０７）、検査ＩＤ検知部Ｃ２で検知された検査ＩＤを、情報付加部Ｃ４によって画像データに付加して、インターフェース部１８を介して出力する。また、検査ＩＤが記憶部１３に登録済みでない場合には、情報生成部Ｃ３がＲＴＣ２０の時刻情報に基づいて識別情報（検査ＩＤ）を生成し、かつ記憶部１３に登録する（ステップ１０６）。そして、検査を開始する（ステップ１０７）。この検査によってカプセル型内視鏡３から受信装置２が受信した映像信号は、信号処理回路１２で画像処理されて画像データとして制御部Ｃに出力される。制御部Ｃでは、この画像データを取り込むと、この生成した検査ＩＤを、情報付加部Ｃ４によって画像データに付加して、たとえば記憶部１３に記録させ、ステップ１０８の判断で検査が終了した後に、制御部Ｃは、この検査ＩＤが付加された画像データ（検査データ）を、インターフェース部１８および通信ケーブル５を介してワークステーション４の制御部ＤＣにダウンロードすることで（ステップ１０９）、画像データの受け渡しおよび表示部４１での画像表示を可能にする。なお、制御部Ｃは、このワークステーションへのダウンロードが終了すると、同時に記憶部１３内のデータを消去する。
【００３６】
ワークステーション４では、インターフェース部４２で取り込んだ画像データに付加された検査ＩＤと検査ＩＤ生成部ＤＣ２の検査ＩＤを比較し、一致する場合には、この画像データ（検査データ）を表示部４１に表示させて診断を行う（ステップ１１０）。なお、記憶部１３は、たとえばコンパクトフラッシュ（登録商標）メモリなどからなる携帯型記録媒体で構成することも可能であり、この場合には、検査が終了した後に、受信装置２から取り外して、表示装置４に装着させることで、画像データの受け渡しおよび表示部４１での画像表示を可能にする。
【００３７】
このように、この医療装置では、検査開始時に、受信装置に検査ＩＤが登録されていない場合には、受信装置側で検査を識別するための識別情報を生成して、画像データと関連付けて記憶し、検査終了後に表示装置へこの識別情報が関連付けられた画像データをダウンロードするので、ワークステーションへ画像データをダウンロードする際に、画像データの取り違いを防止して、容易に検査を識別することができる。これにより、この実施の形態では、受信装置側に検査ＩＤが登録されていない場合でも、検査を開始することができ、たとえば緊急性を要する検査などの時でも、迅速に検査を開始することができ、装置の操作性を向上させることができる。
【００３８】
なお、この実施の形態では、受信装置２側で識別情報を生成する場合、装置のＩＤとして「０００」を生成したが、本発明はこれに限らず、たとえば受信装置２に内蔵された不図示のＥＰＲＯＭなどに記録された装置ＩＤ番号を使用することも可能である。この場合には、ワークステーション側では、検査日と受信装置のＩＤを認識して、さらに画像データの取り違いを防止して、容易に検査を識別することが可能となる。
【００３９】
なお、この実施の形態では、検査ＩＤが登録されていない場合に、受信装置側で検査のための識別情報として検査ＩＤを生成する場合について説明したが、本発明は検査ＩＤに限らず、検査を識別できる識別情報であれば、どのような情報であっても構わない。たとえば、本発明では、検査当日の年月日の他に、時分を示す情報をＲＴＣから検出して、この時分情報を付加することも可能である。
【図面の簡単な説明】
【００４０】
【図１】本発明にかかる受信装置を備えた無線型被検体内情報取得システムの全体構成を示す模式図である。
【図２】図１に示した受信装置の構成を示すブロック図である。
【図３】同じく、図１に示した外部装置と表示装置の要部を示すブロック図である。
【図４】図３に示した外部装置および表示装置の制御部における電源オンから診断までの一連の動作を説明するためのフローチャートである。
【符号の説明】
【００４１】
１  被検体
２  受信装置
２ａ  受信ジャケット
２ｂ  外部装置
３  カプセル型内視鏡
４  表示装置（ワークステーション）
５  通信ケーブル
１１  受信回路
１２  信号処理回路
１３  記憶部
１４，４１  表示部
１５  サンプルホールド回路
１６  Ａ／Ｄ変換部
１７  電力供給部
１８，４２  インターフェース部
Ａ１〜Ａｎ  受信用アンテナ
Ｃ，ＤＣ  制御部
Ｃ１  選択制御部
Ｃ２，ＤＣ１  検査ＩＤ検知部
Ｃ３  情報生成部
Ｃ４  情報付加部
ＣＯＮ  接続部
ＣＯＮ１〜ＣＯＮｎ  コネクタ
ＤＣ２  検査ＩＤ生成部
ＤＣ３  判断部
ＤＣ４  作成処理部
ＳＣ  切替制御部
ＳＷ  切替スイッチ
【図１】
2006061470.tif 000003
【図２】
2006061470.tif 000004
【図３】
2006061470.tif 000005
【図４】
2006061470.tif 000006